(57)【要約】      （修正有）【課題】収納部を備えたフードを有するゴルフ用キャディバッグを提供する。【解決手段】複数の区画に分けられた主収納部を有するゴルフ用キャディバッグ本体２と、ゴルフ用キャディバッグ本体の上部に設けられるフード１０とを有するゴルフ用キャディバッグ１であって、主収納部３は、ウッドクラブを収納するためのウッドクラブ区画と、ウッドクラブ以外の短尺クラブを収納するための短尺クラブ区画とを少なくとも有し、フード内であって少なくとも一つの短尺クラブ区画の上部に、袋状の補助収納部１１ａ，１１ｂを有する。【選択図】図２
0003191177.tif 000002
【実用新案登録請求の範囲】
【請求項１】
複数の区画に分けられた主収納部を有するゴルフ用キャディバッグ本体と、該ゴルフ用キャディバッグ本体の上部に設けられるフードとを有するゴルフ用キャディバッグであって、
前記主収納部は、ウッドクラブを収納するためのウッドクラブ区画と、ウッドクラブ以外の短尺クラブを収納するための短尺クラブ区画とを少なくとも有し、
前記フード内であって少なくとも一つの前記短尺クラブ区画の上部に、袋状の補助収納部を有することを特徴とするゴルフ用キャディバッグ。
【請求項２】
前記補助収納部の下端は、前記ゴルフ用キャディバッグ本体の上端よりも１５ｃｍ以上、上に設けられる請求項１に記載のゴルフ用キャディバッグ。
【請求項３】
前記フードは、ゴルフクラブを出し入れするための開閉部を有し、
前記補助収納部は、前記フードの前記開閉部の左右両側に少なくとも１つずつ設けられる請求項１又は２に記載のゴルフ用キャディバッグ。
【請求項４】
前記補助収納部は、縦１５ｃｍ以上４０ｃｍ以下かつ横１５ｃｍ以上３０ｃｍ以下の大きさである請求項１〜３のいずれかに記載のゴルフ用キャディバッグ。
【請求項５】
前記補助収納部の開閉は、スライドファスナーを移動させることにより行う請求項１〜４のいずれかに記載のゴルフ用キャディバッグ。
【考案の詳細な説明】
【技術分野】
【０００１】
本考案はゴルフ用キャディバッグに関するものであり、詳細には、ゴルフ用キャディバッグ本体の上部に取り付けられ、収納部を備えたフードを有するゴルフ用キャディバッグに関するものである。
【背景技術】
【０００２】
従来から、ゴルフクラブを収納するキャディバッグの収納部の容積を増大させる提案がなされている。例えば、特許文献１に開示されたキャディバッグでは、キャディバッグ本体の一側部に開閉可能なポケット形式の収納部、内部片面に小物収納用ポーチ、内部反対側の片面に小物収納用ポケット、小物収納用ポーチと小物収納用ポケットとの間に位置する底部にボール収納スペースが備えられている。
【０００３】
また、特許文献２に開示されたキャディバッグでは、複数枚のシート状素材を接合してキャディバッグフードの側壁部分が外側に膨らむようにする、又はキャディバッグフードの側面部分に断面で蟻溝形の襞を設けることにより容積を増大させる手段が形成されている。
【先行技術文献】
【特許文献】
【０００４】
【特許文献１】特開２００８−２９４５８号公報
【特許文献２】特開２０００−３２５５１９号公報
【考案の概要】
【考案が解決しようとする課題】
【０００５】
しかしながら、特許文献１に開示されたキャディバッグは、キャディバッグ本体の収納機能を改善することに主眼が置かれており、キャディバッグ用フードの収納機能の改善については言及されていなかった。
また、特許文献２に開示されたキャディバッグフードは、キャディバッグ全体を小型、軽量にしながら、体積の大きなクラブヘッドを収納することを可能にするために、マチが設けられたものであり、収納容積が増大する分、フードの外形が外側に増大してしまうものである。
さらに、例えばゴルフシューズは別のシューズケースに入れられるなど、収納される物の大きさや種類によっては、ゴルフ用キャディバッグ以外の収納用具を携行する必要があった。本考案は前記事情に鑑みてなされたものであり、その目的は、収納部を備えたフードを有するゴルフ用キャディバッグを提供することにある。
【課題を解決するための手段】
【０００６】
前記課題を解決することができた本考案のゴルフ用キャディバッグとは、複数の区画に分けられた主収納部を有するゴルフ用キャディバッグ本体と、該ゴルフ用キャディバッグ本体の上部に設けられるフードとを有し、前記主収納部は、ウッドクラブを収納するためのウッドクラブ区画と、ウッドクラブ以外の短尺クラブを収納するための短尺クラブ区画とを少なくとも有し、前記フード内であって少なくとも一つの前記短尺クラブ区画の上部に、袋状の補助収納部を有することを特徴とする。本考案のゴルフ用キャディバッグは、フード内の短尺クラブ区画の上部に補助収納部を有しているため、フード内の短尺クラブ区画の上部に生じていた空間を有効活用することができ、ゴルフ用キャディバッグの収納容量を増やすことができるものである。また、本考案のゴルフ用キャディバッグは、補助収納部がフード内に設けられており、補助収納部を有していないフードと同様の外観であるため、意匠的にも優れているものである。
【０００７】
本考案のゴルフ用キャディバッグにおいて、前記補助収納部の下端は、前記ゴルフ用キャディバッグ本体の上端よりも１５ｃｍ以上、上に設けられることが好ましい。これにより、短尺クラブのヘッドに補助収納部が接触して、ゴルフクラブに傷が付くことを防止できる。
【０００８】
本考案のゴルフ用キャディバッグにおいて、前記フードは、ゴルフクラブを出し入れするための開閉部を有し、前記補助収納部は、前記フードの前記開閉部の両側に少なくとも１つずつ設けられることが好ましい。これにより、フード内の短尺クラブ区画の上部に生じる空間を有効活用することができ、補助収納部の収納容量をさらに増やすことができる。また、補助収納部が複数あれば、目的や収納物の種類に応じて、分類して収納することが可能になる。
【０００９】
本考案のゴルフ用キャディバッグにおいて、前記補助収納部は、縦１５ｃｍ以上４０ｃｍ以下かつ横１５ｃｍ以上３０ｃｍ以下の大きさであることが好ましい。これにより、ゴルフクラブに接触することを防止することができ、また、フード内の短尺クラブ区画の上部に生じる空間を最大限に活用して、補助収納部の収納容量を確保することが可能になる。
【００１０】
本考案のゴルフ用キャディバッグにおいて、前記補助収納部の開閉は、スライドファスナーを移動させることにより行うことが好ましい。これにより、補助収納部の開閉を簡単に行うことができるため、収納物の出し入れが容易になる。
【考案の効果】
【００１１】
本考案のゴルフ用キャディバッグは、複数の区画に分けられた主収納部を有するゴルフ用キャディバッグ本体と、該ゴルフ用キャディバッグ本体の上部に設けられるフードとを有し、前記主収納部は、ウッドクラブを収納するためのウッドクラブ区画と、ウッドクラブ以外の短尺クラブを収納するための短尺クラブ区画とを少なくとも有し、前記フード内であって少なくとも一つの前記短尺クラブ区画の上部に、袋状の補助収納部を有することを特徴とする。本考案のゴルフ用キャディバッグは、フード内の短尺クラブ区画の上部に補助収納部を有しているため、フード内の短尺クラブ区画の上部に生じていた空間を有効活用することができ、ゴルフ用キャディバッグの収納容量を増やすことができる。また、本考案のゴルフ用キャディバッグは、補助収納部がフード内に設けられており、補助収納部を有していないフードと同様の外観であるため、意匠的にも優れているものである。さらに、例えば、ゴルファー達を長年煩わせていたシューズの収納場所を新しく提供することができるものである。
【図面の簡単な説明】
【００１２】
【図１】本考案のゴルフ用キャディバッグに取り付けられるフードを斜めから見た模式図である。
【図２】本考案のゴルフ用キャディバッグを斜めから見た模式図である。
【図３】本考案のゴルフ用キャディバッグに設けられる主収納部の仕切りを長手方向上方から見た平面図である。
【考案を実施するための形態】
【００１３】
本考案のゴルフ用キャディバッグは、複数の区画に分けられた主収納部を有するゴルフ用キャディバッグ本体と、該ゴルフ用キャディバッグ本体の上部に設けられるフードとを有し、前記主収納部は、ウッドクラブを収納するためのウッドクラブ区画と、ウッドクラブ以外の短尺クラブを収納するための短尺クラブ区画とを少なくとも有し、前記フード内であって少なくとも一つの前記短尺クラブ区画の上部に、袋状の補助収納部を有するものである。
【００１４】
ゴルフ用キャディバッグ本体は、ゴルフの練習やラウンドのときに、ゴルフクラブを収納し、携行するためのものである。ゴルフ用キャディバッグ本体は、有底略円筒状、有底略角筒状などの形状をしており、ゴルフクラブのヘッド部が上、グリップ部が下となる向きでゴルフクラブを立てた状態で収納するための主収納部を有している。ゴルフクラブは、ウッドクラブと短尺クラブに大別される。ウッドクラブは、例えば、ドライバー、スプーン、バフィーなどである。短尺クラブは、例えば、３〜９番アイアン、サンドウェッジ、アプローチウェッジ、ピッチングウェッジ、パターなどであり、ウッドクラブに比べて短尺である。ゴルフでは、このような様々なゴルフクラブが使い分けられるため、ゴルフクラブの種類で分類して収納できるように、ゴルフ用キャディバッグ本体の主収納部は複数の区画に分けられる。
主収納部は、少なくともウッドクラブを収納するためのウッドクラブ区画と、ウッドクラブ以外の短尺クラブを収納するための短尺クラブ区画を有する。主収納部を上方から見て、ゴルフ用キャディバッグ本体の取っ手が設けられる側を上、設けられない側を下とすると、主収納部は、例えば上下方向で上部と下部の２つのエリアに分けることができ、横方向で左側部と右側部とこれらの間の中央部の３つのエリアに分けることができる。このとき、ウッドクラブ区画は、主収納部の上下方向の上部かつ横方向の中央部のエリアに設けられることが好ましい。これにより、上下方向の下部かつ横方向の左側部及び右側部のエリアが短尺クラブ区画となり、短尺クラブ区画の上部には、ウッドクラブと短尺クラブの長さの差の分だけ空間が生じる。この空間を有効活用するために補助収納部を設ければ、ゴルフ用キャディバッグの収納容量を増大させることができる。
【００１５】
主収納部を区画するための仕切り部材は、ある程度の強度を有し、ゴルフクラブに傷が付かないような素材であれば、特に限定されず、例えば、ナイロン６−６繊維等の合成繊維の織布を用いることができる。
【００１６】
フードは、ゴルフ用キャディバッグ本体の上部に設けられ、主収納部に収納されたゴルフクラブを保護するために覆うものである。フードは、ゴルフ用キャディバッグ本体と取り外し可能に形成されていてもよく、ゴルフ用キャディバッグ本体と一体的に形成されていてもよい。
フードは、ウッドクラブの長さに合わせて作られる。主収納部に収納されたゴルフクラブのヘッド部は、ゴルフ用キャディバッグ本体の上端から突出しており、長尺であるウッドクラブは、ウッドクラブ以外の短尺クラブと比べて、突出している部分が特に多い。このため、フードの高さは、ゴルフ用キャディバッグ本体に取り付けたときに、ゴルフ用キャディバッグ本体の上端が隠れる高さに設定されることが好ましい。これにより、主収納部に塵、埃などが入ることを防止できる。
【００１７】
フードの下部には、ゴルフ用キャディバッグ本体とフードとを係止するための係止部材が設けられるのが好ましい。係止部材の種類は、特に限定されないが、例えば、スナップボタン、面ファスナー、スライドファスナーなどが挙げられる。これにより、ゴルフ用キャディバッグ本体からフードを外した場合であっても、係止部材によりゴルフ用キャディバッグ本体とフードとが係止されるため、フードが紛失することを防ぐことができる。  
【００１８】
フードは、ゴルフクラブを出し入れするための開閉部を有することが好ましい。これにより、フードをゴルフ用キャディバッグ本体に取り付けた状態で、ゴルフクラブを出し入れすることが可能になる。また、開閉部は、フード中央部の上端から下端にかけて設けられることが好ましい。これにより、ヘッド部が大きいゴルフクラブであっても出し入れが容易になる。
開閉部は、開閉が可能な部材により形成されていれば特に限定されない。開閉部の部材は、例えば、スライドファスナー、面ファスナー、スナップボタンが挙げられるが、開閉部の開閉はスライドファスナーを移動させることにより行うことが好ましい。これにより、ファスナーの開閉を簡単に行うことが出来るため、ゴルフクラブの出し入れが容易になる。
【００１９】
補助収納部は、少なくとも一つの短尺クラブ区画の上部に設けられる袋状の収納部であり、ゴルフクラブ以外の物、例えば、ゴルフシューズ、レインウェア、手袋、ティーなどを収納するものである。主収納部は、少なくともウッドクラブ区画と、短尺クラブ区画とに分けられるが、短尺クラブはウッドクラブに比べて短いため、短尺クラブ区画の上部には空間が生じる。補助収納部は、この空間を活用して設けられるものである。
【００２０】
補助収納部は、物を収納できる袋状の構造であればよく、その形状は特に限定されず、フード内に独立して形成された袋であってもよいし、フード自体が袋の一部を構成していてもよい。また、補助収納部は、側部や底部にマチが設けられてもよい。これにより、収納容量を増やすことができる。さらに、補助収納部内は、ゴルフシューズ、レインウェアなどの比較的大きい物を入れるために仕切りやポケットが設けられなくてもよく、手袋、ティーなどの小物を収納するために仕切りやポケットが設けられてもよい。
【００２１】
補助収納部の下端は、ゴルフ用キャディバッグ本体の上端よりも１５ｃｍ以上、上に設けられることが好ましい。これにより、短尺クラブのヘッド部に補助収納部が接触して、短尺クラブに傷が付くことを防止できる。
【００２２】
補助収納部の数は特に限定されないが、フードの開閉部の左右両側に少なくとも１つずつ設けられることが好ましい。主収納部を上方から見て、ゴルフ用キャディバッグ本体の取っ手が設けられる側を上、設けられない側を下とすると、主収納部の上下方向の下部かつ横方向の左側部及び右側部のエリアに短尺クラブ区画が設けられるため、短尺クラブ区画の上部には、ウッドクラブと短尺クラブの長さの差の分だけ空間が生じる。この空間を有効活用するために、フード開閉部の左右両側にそれぞれ補助収納部を設ければ、ゴルフ用キャディバッグの収納容量をさらに増やすことができる。また、補助収納部が複数あれば、目的や収納物の種類に応じて、分類して収納することが可能になる。
【００２３】
補助収納部の大きさは特に限定されないが、縦１５ｃｍ以上４０ｃｍ以下かつ横１５ｃｍ以上３０ｃｍ以下の大きさであることが好ましく、縦２０ｃｍ以上３５ｃｍ以下かつ横１７ｃｍ以上２８ｃｍ以下の大きさであることがより好ましく、縦２５ｃｍ以上３０ｃｍ以下かつ横２０ｃｍ以上２５ｃｍ以下の大きさであることがさらに好ましい。これにより、ウッドクラブ及び短尺クラブに接触することを防止することができ、また、フード内の短尺クラブ区画の上部に生じる空間を最大限に活用して、補助収納部の収納容量を確保することが可能になる。さらに、補助収納部がフード内に生じた空間に納まって、補助収納部を有していないフードと同様の外観となることから、意匠的にも優れている。
【００２４】
補助収納部は、フードから取り外し可能に形成されていてもよく、フードから取り外しできないように形成されていてもよい。補助収納部をフードから取り外し可能に形成する場合、補助収納部は、面ファスナー、スナップボタンなどの係止部材によってフードに取り付けられることが好ましい。これにより、補助収納部をフードから簡単に取り外すことができ、補助収納部を独立した収納用具として使用することができる。また、補助収納部をフードから取り外しできないように形成する場合、補助収納部は、縫着によってフードに取り付けられることが好ましい。これにより、補助収納部をフードに確実に取り付けることができる。
【００２５】
補助収納部の開閉部は、開閉が可能な部材により形成されていれば特に限定されない。補助収納部の開閉部の部材は、例えば、スライドファスナー、面ファスナー、スナップボタンが挙げられるが、補助収納部の開閉はスライドファスナーを移動させることにより行うことが好ましい。これにより、ファスナーの開閉を簡単に行うことが出来るため、収納物の出し入れが容易になる。
【００２６】
補助収納部の素材は特に限定されないが、ゴルフシューズやレインウェアなどの濡れたものであっても収納できるように、収納物と接触する補助収納部の面は、防水性を有していることが好ましい。これにより、ゴルフ用キャディバッグ本体及び主収納部に収納されるゴルフクラブを濡らしたり、汚したりすることを防止することができる。
【００２７】
補助収納部のフードへの配設例について、図１を参照して説明する。図１は、本考案のゴルフ用キャディバッグに取り付けられるフードを斜めから見た模式図を示している。
フード１０は、中央部の上端から下端にかけて開閉部１３を有し、フードの上部でかつ開閉部１３の両側に補助収納部１１ａ，１１ｂが配設されている。補助収納部１１ａ，１１ｂは袋状であり、補助収納部に収納物を出し入れするときは、補助収納部の開閉部１２ａ，１２ｂに設けられたスライドファスナーを操作する。図１においては、補助収納部の開閉部１２ａ，１２ｂはフードの上部に設けられているが、主収納部の短尺クラブ区画の上部に設けられていれば、補助収納部の開閉部の位置は特に限定されない。例えば、フードの中央部から下部にかけて補助収納部の開閉部１２ａ，１２ｂを設けることも可能である。この場合、補助収納部１１ａ，１１ｂは縦方向に開口を有する形状となり、図１に示した場合よりも補助収納部の開閉部１２ａ，１２ｂを大きくすることができ、シューズ、レインウェアなどの比較的大きい物を出し入れするのに適している。
【００２８】
次に、本考案のゴルフ用キャディバッグの構成例について、図２及び図３を参照して説明する。図２は、本考案のゴルフ用キャディバッグを斜めから見た模式図である。図３は、本考案のゴルフ用キャディバッグに設けられる主収納部の仕切りを長手方向上方から見た平面図である。
図２に示すように、ゴルフ用キャディバッグ１は、ゴルフ用キャディバッグ本体２と、ゴルフ用キャディバッグ本体２の上部に設けられたフード１０とを有する。ゴルフ用キャディバッグ本体２は有底略角筒状であり、内部には仕切り４によって複数の区画に分けられた主収納部３が設けられており、側面には側面収納部７が設けられている。図３に示すように、主収納部３は、仕切り４によってウッドクラブ区画５と短尺クラブ区画６に分けられている。短尺クラブ区画６は、ゴルフクラブの種類や長さごとに分類できるように仕切り４が設けられている。
【００２９】
図２に示すように、フード１０は、中央部の上端から下端にかけて開閉部１３を有し、フードの上部でかつ開閉部１３の両側に補助収納部１１ａ，１１ｂが配設されている。補助収納部は、短尺クラブ区画６の上部に設けられる。これにより、フード内の短尺クラブ区画の上部に生じていた空間を有効活用することができ、ゴルフ用キャディバッグの収納容量を増やすことができる。また、補助収納部は、フード内に設けられているため、補助収納部を有していないフードと同様の外観をなしている。
補助収納部１１ａ，１１ｂは袋状であり、補助収納部に収納物を出し入れするときは、補助収納部の開閉部１２ａ，１２ｂに設けられたスライドファスナーを操作する。図２では、仕切りのない袋状の補助収納部が２つ設けられているため、例えば、ゴルフシューズを片方ずつ収納するのに適している。
【符号の説明】
【００３０】
１：ゴルフ用キャディバッグ
２：ゴルフ用キャディバッグ本体
３：主収納部
４：仕切り
５：ウッドクラブ区画
６：短尺クラブ区画
７：側面収納部
１０：フード
１１ａ，１１ｂ：補助収納部
１２ａ，１２ｂ：補助収納部の開閉部
１３：開閉部
【図１】
0003191177.tif 000003
【図２】
0003191177.tif 000004
【図３】
0003191177.tif 000005